(57)【特許請求の範囲】
【請求項１】
それぞれ回転規制された状態で光軸方向に沿って移動可能に配置される、１群レンズを保持する第１レンズユニット、２群レンズを保持する第２レンズユニット、及び３群レンズを保持する第３レンズユニットと、
内周側に配置された前記第１レンズユニットがカム係合して、回転しながら光軸方向に移動することにより前記第１レンズユニットを光軸方向に相対的に移動させる第１カム部材と、
前記第２レンズユニットが外周部にカム係合するとともに、前記第３レンズユニットが内周部にカム係合して、回転しながら光軸方向に移動することにより前記第２レンズユニット、及び前記第３レンズユニットを光軸方向に相対的に移動させる第２カム部材と、を備え、
前記第１カム部材は、前記第２カム部材の外周側で前記第２カム部材と略同軸に配置され、
前記第２レンズユニットが保持する前記２群レンズ、及び前記第３レンズユニットが保持する前記３群レンズは、前記第２カム部材の内周側に配置されていることを特徴とするレンズ鏡筒。
【請求項２】
撮影位置と沈胴位置との間を光軸方向に移動して撮影倍率を変更するズーム式のレンズ鏡筒を備える撮像装置であって、
前記レンズ鏡筒として、請求項１に記載のレンズ鏡筒を備えることを特徴とする撮像装置。
【発明の詳細な説明】
【技術分野】
【０００１】
本発明は、デジタルカメラ等の撮像装置に搭載されるズーム式のレンズ鏡筒、及び該レンズ鏡筒を備える撮影装置に関する。
【背景技術】
【０００２】
デジタルカメラ等の撮像装置に搭載されるズーム式のレンズ鏡筒では、レンズを保持する複数のレンズユニットをカム筒の回転により光軸方向に移動させつつ、直進筒により回転方向の移動を規制している。
【０００３】
ところで、近年では、撮影倍率の高倍率化の要請に伴って、レンズユニットの数が増加したり、繰出し全長が長くなったりして、レンズ鏡筒が大型化する傾向にある。一方、デジタルカメラの薄型化の要請もあり、レンズ鏡筒の沈胴時の光軸方向の寸法を極力短くすることが求められている。
【０００４】
そこで、例えば、一つのカム筒に対して内周側と外周側にカム溝を設け、各々のカム溝に追従する複数のレンズユニットを光軸方向へ相対的に移動させることで撮影倍率を変更するレンズ鏡筒が提案されている（特許文献１）また、前群のレンズユニット及び後群のレンズユニットをそれぞれ３段目のカム部材に形成したカム溝にカム係合させて保持する３段沈胴方式のレンズ鏡筒が提案されている（特許文献１）。
【０００５】
更に、レンズユニットの光軸前後にフォロワを具備させ、ズームの移動によって同一カム筒上でフォロワを乗り移らせることでレンズユニットの移動ストロークを確保する方法が提案されている（特許文献２）。
【先行技術文献】
【特許文献】
【０００６】
【特許文献１】特開２００６−０７８５３７号公報
【特許文献２】特開２００７−１１４５３１号公報
【発明の概要】
【発明が解決しようとする課題】
【０００７】
しかし、上記特許文献１では、一つのカム筒の内周側と外周側に設けたカム溝に各レンズユニットが追従する範囲でしか各レンズユニットの光軸方向の相対的な移動間隔を広げることができない。
【０００８】
また、カム部材の前群カム溝および後群カム溝に各レンズユニットが追従する範囲でしか各レンズユニットの光軸方向の相対的な移動間隔を広げることができない。
【０００９】
上記特許文献２では、レンズホルダーの複数のフォロワの一方がカム筒に届く範囲でしかストロークを確保することができない。
【００１０】
そこで、本発明は、レンズ鏡筒の沈胴時の光軸方向の寸法を極力短くしつつ、各レンズユニットの光軸方向の相対的な移動間隔を長くすることができる仕組みを提供することを目的とする。
【課題を解決するための手段】
【００１１】
上記目的を達成するために、本発明のレンズ鏡筒は、それぞれ回転規制された状態で光軸方向に沿って移動可能に配置される、１群レンズを保持する第１レンズユニット、２群レンズを保持する第２レンズユニット、及び３群レンズを保持する第３レンズユニットと、内周側に配置された前記第１レンズユニットがカム係合して、回転しながら光軸方向に移動することにより前記第１レンズユニットを光軸方向に相対的に移動させる第１カム部材と、前記第２レンズユニットが外周部にカム係合するとともに、前記第３レンズユニットが内周部にカム係合して、回転しながら光軸方向に移動することにより前記第２レンズユニット、及び前記第３レンズユニットを光軸方向に相対的に移動させる第２カム部材と、を備え、前記第１カム部材は、前記第２カム部材の外周側で前記第２カム部材と略同軸に配置され、前記第２レンズユニットが保持する前記２群レンズ、及び前記第３レンズユニットが保持する前記３群レンズは、前記第２カム部材の内周側に配置されていることを特徴とする。
【発明の効果】
【００１２】
本発明によれば、レンズ鏡筒の沈胴時の光軸方向の寸法を極力短くしつつ、各レンズユニットの光軸方向の相対的な移動間隔を長くすることができる。このため、レンズ鏡筒の撮影倍率の高倍率化、及び撮像装置の薄型化を実現することができる。
【図面の簡単な説明】
【００１３】
【図１】本発明の撮像装置の実施形態の一例であるデジタルカメラを正面側から見た外観斜視図である。
【図２】図１に示すデジタルカメラを背面側から見た図である。
【図３】デジタルカメラの制御系を説明するためのブロック図である。
【図４】レンズ鏡筒がテレ位置にある状態での断面図である。
【発明を実施するための形態】
【００１４】
以下、本発明の実施形態の一例を図面を参照して説明する。
【００１５】
図１は本発明の撮像装置の実施形態の一例であるデジタルカメラを正面側から見た外観斜視図、図２は図１に示すデジタルカメラを背面側から見た図である。
【００１６】
図１及び図２に示すように、本実施形態のデジタルカメラ１５は、正面側に、ファインダ２０、測光測距を行う場合に用いられる補助光源１９、ストロボ２１、及びレンズ鏡筒３０が配置されている。レンズ鏡筒３０は、撮影位置と沈胴位置との間を光軸方向に移動して撮影倍率を変更するズーム式とされている。
【００１７】
デジタルカメラ１５の上面部には、レリーズボタン１６、電源切換えボタン１８、及びズームスイッチ１７が配置されている。また、デジタルカメラ１５の背面側には、図２に示すように、操作ボタン群２４〜２９、ＬＣＤ等のディスプレイ２３、及びファインダ接眼部２２が配置されている。
【００１８】
図３は、デジタルカメラ１５の制御系を説明するためのブロック図である。図３に示すように、バス４４には、ＣＰＵ４６、ＲＯＭ４５、ＲＡＭ４７、レリーズボタン１６、操作ボタン群２４〜２９、及びディスプレイ２３が接続される。また、バス４４には、電源切換えボタン１８、ズームスイッチ１７、メモリ４０、圧縮伸張部４１、メモリカードドライブ４２、及び駆動回路４３が接続される。
【００１９】
駆動回路４３には、レンズ鏡筒３０をズーム駆動するズーム機構３１、フォーカスレンズ５を駆動するフォーカス駆動機構３２、シャッタ３３を駆動するシャッタ駆動機構３４、絞り３５を駆動する絞り駆動機構３６が接続される。
【００２０】
また、駆動回路４３には、ＣＣＤセンサやＣＭＯＳセンサ等の撮像素子１１及びストロボ２１が接続される。駆動回路４３に接続された各ユニットは、ＣＰＵ４６からの信号に基づいて駆動回路４３を介して駆動が制御される。
【００２１】
ＲＯＭ４５には、各種制御プログラム等が記憶され、ＲＡＭ４７には、各種制御プログラムに必要なデータが記憶されている。アナログ信号処理部３７は、撮像素子１１から出力された画像データにアナログ処理を施し、Ａ／Ｄ変換部３８に出力する。
【００２２】
Ａ／Ｄ変換部３８は、撮像素子１１から取り込んだアナログデータをデジタルデータに変換して、デジタル信号処理部３９に出力する。デジタル信号処理部３９は、Ａ／Ｄ変換部３８で変換されたデジタルデータに対して所定の処理を行い、画像データとしてメモリ４０に出力する。
【００２３】
メモリ４０に記憶された画像データは、圧縮伸張部４１によりＪＰＥＧやＴＩＦＦ等の圧縮処理等が施された後、メモリカードドライブ４２に装着されたメモリカードに出力されて記憶される。
【００２４】
また、メモリ４０に記憶された画像データやメモリカードドライブ４２に記憶された画像データに対して圧縮伸張部４１で伸張処理を行い、その後、バス４４を介してディスプレイ２３に表示させることができる。
【００２５】
次に、図４を参照して、レンズ鏡筒３０について詳しく説明する。図４は、レンズ鏡筒３０がテレ位置にある状態の断面図である。
【００２６】
図４に示すように、レンズ鏡筒３０は、１群レンズを保持する第１レンズユニット１、２群レンズを保持する第２レンズユニット２、及び３群レンズを保持する第３レンズユニット３を備える。
【００２７】
また、レンズ鏡筒３０は、４群レンズを保持する第４レンズユニット４、及び５群レンズを保持する第５レンズユニット５を備えており、第５レンズユニット５の５群レンズは、フォーカスレンズとされている。
【００２８】
素子ホルダ１２には、撮像素子１１が保持されており、素子ホルダ１２の被写体側には、固定カム筒１０が配置されている。
【００２９】
固定カム筒１０の内周部には、固定カム溝１０ａが形成されており、固定カム溝１０ａには、固定カム溝１０ａに追従する第２移動カム筒８のフォロワピンがカム係合する。第２移動カム筒８は、回転駆動されることで、フォロワピンが固定カム溝１０ａに追従して固定カム筒１０に対して回転しながら光軸方向に移動する。
【００３０】
第２移動カム筒８の内周部には、第２直進筒９が配置されており、第２直進筒９は、第２移動カム筒８に対して相対回転可能にバヨネット結合されて、第２移動カム筒８とともに光軸方向に移動する。第２直進筒９の外周部には、固定カム筒１０の内周部に設けられた直進キー１０ｂに結合するキー溝が形成されており、これにより、第２直進筒９の回転が規制される。
【００３１】
また、第２移動カム筒８の内周部には、第２カム溝８ａが形成されており、第２カム溝８ａには、第２カム溝８ａに追従する第１直進筒７のフォロワピンがカム係合する。
【００３２】
第１直進筒７の外周側には、第１移動カム筒６が配置されており、第１移動カム筒６は、第１直進筒７に対して回転可能にバヨネット結合されている。第１直進筒７は、第２直進筒９に設けられた直進キーに結合するキー溝を有しており、これにより、第１直進筒７は、回転が規制された状態で、第２移動カム筒８とのカム係合により第２移動カム筒８に対して光軸方向に相対的に移動することが可能となる。
【００３３】
第１移動カム筒６は、第２移動カム筒８にキー結合しており、第２移動カム筒８の回転に伴って回転しながら第１直進筒７とともに光軸方向に移動するようになっている。第１移動カム筒６の内周部には、カム溝が形成されており、カム溝には、該カム溝に追従する第１レンズユニット１のフォロワピンがカム係合する。
【００３４】
これにより、第１移動カム筒６の回転により、第１レンズユニット１が光軸方向に移動する。第１レンズユニット１が光軸方向に移動する際には、第１レンズユニット１は、第１直進筒７にキー結合して回転が規制されている。ここで、第１移動カム筒６は、本発明の第１カム部材の一例に相当する。
【００３５】
第２移動カム筒８の内周側には、内側カム筒１３が配置されており、内側カム筒１３の内周側には、内側直進筒１４が配置されている。
【００３６】
内側直進筒１４は、内側カム筒１３に対して回転可能にバヨネット結合されている。また、第２移動カム筒８の内周部には、第２カム溝８ｂが形成されており、第２カム溝８ｂには、第２カム溝８ｂに追従する内側直進筒１４のフォロワピンがカム係合する。
【００３７】
内側直進筒１４は、第２直進筒９に設けられた直進キーに結合するキー溝を有しており、これにより、内側直進筒１４は、回転が規制された状態で、第２移動カム筒８とのカム係合により第２移動カム筒８に対して光軸方向に相対的に移動することが可能となる。
【００３８】
内側カム筒１３は、第２移動カム筒８にキー結合しており、第２移動カム筒８の回転に伴って回転しながら内側直進筒１４とともに光軸方向に移動するようになっている。また、内側カム筒１３の外周部には、第２レンズユニット２のフォロワピン２ａが追従するカム溝が形成され、内側カム筒１３の内周部には、第３レンズユニット３、及び第４レンズユニット４の各フォロワピンが追従するカム溝が形成されている。
【００３９】
これにより、内側カム筒１３の回転により、第２レンズユニット２、第３レンズユニット３及び第４レンズユニット４が光軸方向に移動する。第２レンズユニット２、第３レンズユニット３、及び第４レンズユニット４は、内側直進筒１４にキー結合して回転が規制される。ここで、内側カム筒１３は、本発明の第２カム部材の一例に相当する。
【００４０】
以上説明したように、本実施形態では、第２移動カム筒８の回転に伴って第１移動カム筒６が回転しながら光軸方向に移動して、第１移動カム筒６にカム係合する第１レンズユニット１が光軸方向に移動する。また、第２移動カム筒８の回転に伴って内側カム筒１３が回転しながら光軸方向に移動して、内側カム筒１３にカム係合する第２レンズユニット２、第３レンズユニット３及び第４レンズユニット４が光軸方向に移動する。
【００４１】
これにより、レンズ鏡筒３０の沈胴時の光軸方向の寸法を極力短くしつつ、第１レンズユニット１と第２レンズユニット２との光軸方向の相対的な移動間隔を長くすることができる。このため、レンズ鏡筒３０の撮影倍率の高倍率化、及びデジタルカメラ１５の薄型化を実現することができる。
【００４２】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４３】
１    第１レンズユニット
２    第２レンズユニット
３    第３レンズユニット
４    第４レンズユニット
６    第１移動カム筒
８    第２移動カム筒
１０  固定カム筒
１３  内側カム筒
【図１】
0005765956.tif 000002
【図２】
0005765956.tif 000003
【図３】
0005765956.tif 000004
【図４】
0005765956.tif 000005